【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
センスラインと、
タッチ検出対応画素回路を含む複数の画素回路と
を備える表示パネルであって、
前記タッチ検出対応画素回路が、
データ電圧に対応する電圧を保持する保持キャパシタと、
前記タッチ検出対応画素回路の近傍における物体の前記表示パネルへの接触に応じて変動する容量を有する検出キャパシタと、
電流駆動素子と、
前記データ電圧に応じて前記電流駆動素子に電流を供給し、前記検出キャパシタの容量に応じたセンス電流を前記センスラインに供給するように構成された駆動トランジスタと
を備える
表示パネル。
【請求項２】
前記複数の画素回路は、複数の行に配置されており、
当該表示パネルが、更に、
第１スキャンラインと、
第２スキャンラインと、
第３スキャンラインと
を備え、
前記タッチ検出対応画素回路は、前記複数の行の第１行に位置しており、
前記タッチ検出対応画素回路が、更に、リセットトランジスタを備えており、
前記保持キャパシタが保持ノードと前記第２スキャンラインの間に接続され、
前記検出キャパシタが前記保持ノードと接地ラインの間に接続され、
前記リセットトランジスタが、前記第３スキャンラインの電位に応じて、所定の第１電位に固定された第１電源ラインと前記保持ノードとを電気的に接続するように構成された
請求項１に記載の表示パネル。
【請求項３】
前記第１スキャンラインは、前記第１行に位置する前記画素回路にデータ電圧を書き込むときに活性化され、
前記第２スキャンラインは、前記複数の行のうち、前記第１行に隣接し、且つ、前記第１行の画素回路よりも早くデータ電圧が書き込まれる第２行に位置する前記画素回路に、データ電圧を書き込むときに活性化され、
前記第３スキャンラインは、前記複数の行のうち、前記第２行に隣接し、且つ、前記第２行の画素回路よりも早くデータ電圧が書き込まれる第３行に位置する前記画素回路に、データ電圧を書き込むときに活性化される
請求項２に記載の表示パネル。
【請求項４】
更に、
第１エミッションラインと、
第２エミッションラインと、
データラインと
を備え、
前記駆動トランジスタのゲートが前記保持ノードに接続され、
前記タッチ検出対応画素回路が、更に、
前記第１スキャンラインの電位に応じて、前記データラインを前記駆動トランジスタのソースに電気的に接続するように構成された第１選択トランジスタと、
所定の第２電位に固定された第２電源ラインを前記駆動トランジスタのソースに電気的に接続するように構成された第２選択トランジスタと、
前記第１エミッションラインの電位に応じて、前記駆動トランジスタのドレインを前記電流駆動素子に電気的に接続するように構成された第３選択トランジスタと、
前記第２スキャンラインの電位に応じて、前記駆動トランジスタのドレインを前記センスラインに電気的に接続するように構成された第４選択トランジスタ
とを備える
請求項２に記載の表示パネル。
【請求項５】
前記タッチ検出対応画素回路が、更に、前記第１スキャンラインの電位に応じて、前記駆動トランジスタのドレインを前記駆動トランジスタのゲートに電気的に接続するように構成された閾値補償トランジスタを備える
請求項４に記載の表示パネル。
【請求項６】
更に、
エミッションラインと、
データラインと
を備え、
前記タッチ検出対応画素回路が、更に、
前記保持ノードと前記駆動トランジスタのゲートとの間に接続された閾値補償キャパシタと、
前記第１スキャンラインの電位に応じて、前記データラインを前記保持ノードに電気的に接続するように構成された第１選択トランジスタと、
前記エミッションラインの電位に応じて、前記駆動トランジスタのドレインを前記電流駆動素子に電気的に接続するように構成された第２選択トランジスタと、
前記第２スキャンラインの電位に応じて、前記駆動トランジスタのドレインを前記センスラインに電気的に接続するように構成された第３選択トランジスタと、
前記第３スキャンラインの電位に応じて、前記駆動トランジスタのドレインを前記駆動トランジスタのゲートに電気的に接続するように構成された閾値補償トランジスタ
とを備える
請求項２に記載の表示パネル。
【請求項７】
前記検出キャパシタが、
第１電極と、
第２電極と、
前記第１電極と前記第２電極の間に設けられた絶縁層
とを備え、
前記検出キャパシタは、その少なくとも一部分において、前記第１電極と前記第２電極の間の距離が、前記検出キャパシタの近傍において当該表示パネルに作用する圧力に依存して変化するように構成されている
請求項１に記載の表示パネル。
【請求項８】
前記絶縁層が、弾性を有する有機絶縁体で形成されている
請求項７に記載の表示パネル。
【請求項９】
データ電圧を生成し、センス電流を受け取るように構成された表示ドライバと、
センスラインと、タッチ検出対応画素回路を含む複数の画素回路とを備える表示パネルと
を備え、
前記タッチ検出対応画素回路が、
前記データ電圧に対応する電圧を保持する保持キャパシタと、
前記タッチ検出対応画素回路の近傍における物体の前記表示パネルへの接触に応じて変動する容量を有する検出キャパシタと、
電流駆動素子と、
前記データ電圧に応じて前記電流駆動素子に電流を供給し、前記検出キャパシタの容量に応じたセンス電流を前記センスラインに供給するように構成された駆動トランジスタと
を備える
パネル表示装置。
【請求項１０】
前記複数の画素回路は、複数の行に配置されており、
前記表示パネルが、更に、
第１スキャンラインと、
第２スキャンラインと、
第３スキャンライン
とを備え、
前記タッチ検出対応画素回路は、前記複数の行の第１行に位置しており、
前記タッチ検出対応画素回路が、更に、リセットトランジスタを備えており、
前記保持キャパシタが保持ノードと前記第２スキャンラインの間に接続され、
前記検出キャパシタが前記保持ノードと接地ラインの間に接続され、
前記リセットトランジスタが、前記第３スキャンラインの電位に応じて、所定の第１電位に固定された第１電源ラインと前記保持ノードとを電気的に接続するように構成された
請求項９に記載のパネル表示装置。
【請求項１１】
前記第１スキャンラインは、前記第１行に位置する前記画素回路にデータ電圧を書き込むときに活性化され、
前記第２スキャンラインは、前記複数の行のうち、前記第１行に隣接し、且つ、前記第１行の画素回路よりも早くデータ電圧が書き込まれる第２行に位置する前記画素回路に、データ電圧を書き込むときに活性化され、
前記第３スキャンラインは、前記複数の行のうち、前記第２行に隣接し、且つ、前記第２行の画素回路よりも早くデータ電圧が書き込まれる第３行に位置する前記画素回路に、データ電圧を書き込むときに活性化される
請求項１０に記載のパネル表示装置。
【請求項１２】
前記表示パネルが、更に、
第１エミッションラインと、
第２エミッションラインと、
データラインと
を備え、
前記駆動トランジスタのゲートが前記保持ノードに接続され、
前記タッチ検出対応画素回路が、更に、
前記第１スキャンラインの電位に応じて、前記データラインを前記駆動トランジスタのソースに電気的に接続するように構成された第１選択トランジスタと、
所定の第２電位に固定された第２電源ラインを前記駆動トランジスタのソースに電気的に接続するように構成された第２選択トランジスタと、
前記第１エミッションラインの電位に応じて、前記駆動トランジスタのドレインを前記電流駆動素子に電気的に接続するように構成された第３選択トランジスタと、
前記第２スキャンラインの電位に応じて、前記駆動トランジスタのドレインを前記センスラインに電気的に接続するように構成された第４選択トランジスタ
とを備える
請求項１０に記載のパネル表示装置。
【請求項１３】
前記タッチ検出対応画素回路が、更に、前記第１スキャンラインの電位に応じて、前記駆動トランジスタのドレインを前記駆動トランジスタのゲートに電気的に接続するように構成された閾値補償トランジスタを備える
請求項１２に記載のパネル表示装置。
【請求項１４】
前記表示パネルが、更に、
エミッションラインと、
データライン
とを具備し、
前記タッチ検出対応画素回路が、更に、
前記保持ノードと前記駆動トランジスタのゲートとの間に接続された閾値補償キャパシタと、
前記第１スキャンラインの電位に応じて、前記データラインを前記保持ノードに電気的に接続するように構成された第１選択トランジスタと、
前記エミッションラインの電位に応じて、前記駆動トランジスタのドレインを前記電流駆動素子に電気的に接続するように構成された第２選択トランジスタと、
前記第２スキャンラインの電位に応じて、前記駆動トランジスタのドレインを前記センスラインに電気的に接続するように構成された第３選択トランジスタと、
前記第３スキャンラインの電位に応じて、前記駆動トランジスタのドレインを前記駆動トランジスタのゲートに電気的に接続するように構成された閾値補償トランジスタ
とを備える
請求項１０に記載の表示パネル。
【請求項１５】
前記検出キャパシタが、
第１電極と、
第２電極と、
前記第１電極と前記第２電極の間に設けられた絶縁層
とを備え、
前記検出キャパシタは、その少なくとも一部分において、前記第１電極と前記第２電極の間の距離が、前記検出キャパシタの近傍において当該表示パネルに作用する圧力に依存して変化するように構成され、
前記表示ドライバは、前記センス電流に基づいて前記表示パネルに作用する圧力を検出するように構成された
請求項９に記載のパネル表示装置。
【請求項１６】
前記絶縁層が、弾性を有する有機絶縁体で形成されている
請求項１５に記載のパネル表示装置。
【請求項１７】
表示パネルの画素回路の駆動トランジスタを用いて、前記画素回路の保持キャパシタに保持されている電圧に応じて前記画素回路の電流駆動素子に駆動電流を供給することと、
前記駆動トランジスタを用いて、検出キャパシタの容量に応じてセンスラインにセンス電流を供給することと
を含み、
前記容量が、前記画素回路の近傍における物体の前記表示パネルとの接触に応じて変化する
方法。
【請求項１８】
前記表示パネルの前記画素回路に集積化されたリセットトランジスタを用いて、前記駆動トランジスタのゲートを所定電位に設定することを更に含み、
前記保持キャパシタと前記検出キャパシタが前記駆動トランジスタの前記ゲートに共通に接続されている
請求項１７に記載の方法。
【請求項１９】
前記駆動トランジスタが前記駆動トランジスタの前記ゲートとドレインとが電気的に接続された状態にある間に前記駆動トランジスタのソースに駆動電圧を供給して、前記保持キャパシタに保持されている前記電圧を生成することを更に含む
請求項１８に記載の方法。
【請求項２０】
前記画素回路に集積化されているリセットトランジスタによって、前記駆動トランジスタが前記駆動トランジスタのゲートとドレインとが電気的に接続された状態にある間に保持ノードを所定電位に設定することを更に含み、
前記検出キャパシタが前記保持ノードに接続され、
閾値電圧補償キャパシタが、前記保持ノードと前記駆動トランジスタの前記ゲートとの間に接続され、
前記駆動電流と前記センス電流とが、前記閾値電圧補償キャパシタに保持されている電圧に依存する
請求項１７に記載の方法。
【手続補正２】
【補正対象書類名】明細書
【補正対象項目名】００２１
【補正方法】変更
【補正の内容】
【００２１】
図１を再度に参照して、スキャンラインＳＬ［−１］−ＳＬ［ｎ］と、第１エミッションラインＥＭ１［１］−ＥＭ１［ｎ］と、第２エミッションラインＥＭ２［１］−ＥＭ２［ｎ］とは、ＯＬＥＤ表示パネル１の水平方向（画素回路６の行の方向）に延伸するように設けられている。スキャンラインＳＬ［−１］−ＳＬ［ｎ］は、リセットする画素回路６の行の選択、センス信号を得る画素回路６の行の選択、及び、データ電圧を書き込むべき画素回路６の行の選択のために用いられる。また、第１エミッションラインＥＭ１［１］−ＥＭ１［ｎ］と第２エミッションラインＥＭ２［１］−ＥＭ２［ｎ］とは、ＯＬＥＤ素子１４の発光を許可する画素回路６の行を選択するために用いられる。なお、図１に図示されている構成では、ＯＬＥＤ表示パネル１が、画素回路６の行のそれぞれに対応するスキャンラインＳＬ［１］〜ＳＬ［ｎ］に加え、２本の追加のスキャンラインＳＬ［−１］、ＳＬ［０］を有している。該２本の追加のスキャンラインＳＬ［−１］、ＳＬ［０］は、上から２行の画素回路６について、リセットする画素回路６の行の選択、及び、センス信号を得る画素回路６の行の選択を行うために用いられる。
【手続補正３】
【補正対象書類名】明細書
【補正対象項目名】００６５
【補正方法】変更
【補正の内容】
【００６５】
閾値補償トランジスタＴ３は、ソースが駆動トランジスタＴ１のドレインに接続され、ドレインが駆動トランジスタＴ１のゲートに接続され、ゲートがスキャンラインＳＬ［ｉ−２］に接続されている。
【手続補正４】
【補正対象書類名】明細書
【補正対象項目名】００６９
【補正方法】変更
【補正の内容】
【００６９】
保持キャパシタＣ１は、当該画素回路８に対応する階調（即ち、ＯＬＥＤ素子１４が発光すべき輝度）に対応するデータ電圧を保持する。保持キャパシタＣ１は、保持ノードＮＨＯＬＤとスキャンラインＳＬ［ｉ−１］との間に接続されている。
【手続補正５】
【補正対象書類名】明細書
【補正対象項目名】００７０
【補正方法】変更
【補正の内容】
【００７０】
閾値補償キャパシタＣＶｔｈは、駆動トランジスタＴ１の閾値電圧に対応する電圧を保持する。閾値補償キャパシタＣＶｔｈは、駆動トランジスタＴ１のゲートと保持ノードＮＨＯＬＤとの間に接続されている。
【手続補正６】
【補正対象書類名】明細書
【補正対象項目名】００７３
【補正方法】変更
【補正の内容】
【００７３】
図８に図示されている画素回路８は、いわゆる５Ｔ２Ｃ型画素回路（上記の非特許文献２参照）に、選択トランジスタＴ６、検出キャパシタ１５、及び、センスラインＳＮＳを追加した構成であることに留意されたい。図８に図示されている構成では、ＯＬＥＤ素子１４を駆動するために用いられる回路素子及び配線が、タッチ検出のためのセンス信号の生成にも用いられ、これにより、タッチ検出のために画素回路８に追加される回路素子及び配線を低減することができる。
【手続補正７】
【補正対象書類名】明細書
【補正対象項目名】００７５
【補正方法】変更
【補正の内容】
【００７５】
また、保持キャパシタＣ１及び閾値補償キャパシタＣＶｔｈをリセットするために用いられるリセットトランジスタＴ４が、検出キャパシタ１５をリセットするためにも用いられる。詳細には、図８に図示されている画素回路８では、保持ノードＮＨＯＬＤに保持キャパシタＣ１の一端と閾値補償キャパシタＣＶｔｈの一端と検出キャパシタ１５の一端が接続されており、且つ、リセットトランジスタＴ４が、保持ノードＮＨＯＬＤと内部電源ライン３４とをスキャンラインＳＬ［ｉ−２］の電位に応じて電気的に接続する。このような構成によれば、一つのリセットトランジスタＴ４によって、保持キャパシタＣ１及び閾値補償キャパシタＣＶｔｈのみならず、検出キャパシタ１５をリセットできる。
【手続補正８】
【補正対象書類名】明細書
【補正対象項目名】００７９
【補正方法】変更
【補正の内容】
【００７９】
図９は、図８に図示されている画素回路８（ｉ行ｊ列に位置する画素回路８）の動作を示すタイミングチャートである。なお、本実施形態では、スキャンラインＳＬ［ｉ−２］〜［ｉ］及びエミッションラインＥＭ［ｉ］は、いずれも、ローアクティブ（low-active）である。初期状態において、スキャンラインＳＬ［ｉ−２］、ＳＬ［ｉ−１］、ＳＬ［ｉ］は、いずれも、非活性化され（deactivated）、エミッションラインＥＭ［ｉ］は、活性化されている（activated）ものとする。
【手続補正９】
【補正対象書類名】明細書
【補正対象項目名】００８５
【補正方法】変更
【補正の内容】
【００８５】
第１の実施形態において説明したように、検出キャパシタ１５の容量Ｃｓｅｎｓは、当該画素回路８の近傍におけるＯＬＥＤ表示パネル１Ｂへの物体、例えば、人体の指の接触の有無に依存するから、結果として、駆動トランジスタＴ１のゲート電位Ｖｇｔ１は、ＯＬＥＤ表示パネル１Ｂへの物体の接触の有無に依存することになる。当該画素回路６の近傍においてＯＬＥＤ表示パネル１Ｂに物体が接触していると、検出キャパシタ１５の容量Ｃｓｅｎｓが増加する。検出キャパシタ１５の容量Ｃｓｅｎｓが増加し、図９の凡例「タッチあり」に示されているように、ゲート電位Ｖｇｔ１の変化ｄＶｓｅｎｓが相対的に小さくなる。逆に、当該画素回路６の近傍においてＯＬＥＤ表示パネル１Ｂに物体が接触していない場合には、検出キャパシタ１５の容量Ｃｓｅｎｓが減少し、図９の凡例「タッチなし」に示されているように、ゲート電位Ｖｇｔ１の変化ｄＶｓｅｎｓが相対的に大きくなる。